(57)【要約】【課題】コイル電線端末部と位相リング電線端末部の接続部を正常に、かつ能率良く絶縁処理することができる回転電機の固定子を得る。【解決手段】電機子コアーの複数のスロットに電機子コイルを設け、電機子コアーに設けた位相リング電線端末部５及び電機子コイルのコイル電線端末部６の両者の心線を相互に接続した接続部７を設ける。また、電気絶縁性物質製の多孔性材料による絶縁具８をキャップ状に製作し、その開口端を上記両者に嵌合して底部側に接続部７を配置し、開口端側を上記両者の被覆部に嵌合する。このように上記両者に接続部７を形成し絶縁具８を装着することによって、上記両者の接続部において安定した絶縁性能を実現し、また上記両者の接続部を能率良く絶縁処理できて製作費を低減する。【選択図】        図２
2004364378.tif 000002
【特許請求の範囲】
【請求項１】
互いに隣接したティースの間に形成された複数のスロットを有する電機子コアーと、上記スロットに嵌合状態に設けられた電機子コイルと、上記電機子コアーに設けられた位相リングと、互いに平行に配置された上記電機子コイルのコイル電線端末部及び位相リングの位相リング電線端末部の両者における心線を相互に接続した接続部と、電気絶縁性物質からなる多孔性材料によって製作されてキャップ状をなし、開口端を介して上記両者に嵌合されて底部側に上記接続部が配置され開口端側が上記両者の被覆部に嵌合された絶縁具とを備えた回転電機の固定子。
【請求項２】
筒状をなし一側が互いに平行に配置された位相リング電線端末部及びコイル電線端末部の両者における被覆部に嵌合され、他側は上記両者の被覆部に嵌合された絶縁具の開口端側の外面に嵌合された合成樹脂製の固定用絶縁具を備えたことを特徴とする請求項１記載の回転電機の固定子。
【請求項３】
絶縁具を、熱硬化性樹脂からなる含浸ワニスをしみ込ませて加熱処理されて、硬化された合成樹脂製のものとしたことを特徴とする請求項１及び請求項２のいずれか一つに記載の回転電機の固定子。
【発明の詳細な説明】
【０００１】
【発明の属する技術分野】
この発明は、主としてエレベーター巻上機の電動機に使用される回転電機の固定子に関する。
【０００２】
【従来の技術】
回転電機の固定子は、互いに隣接したティースの間に形成された複数のスロットを有する電機子コアーと、スロットに嵌合状態に設けられた電機子コイルとが装備される。そして、交流電動機においてはＵ、Ｖ、Ｗの三相の各ティースの電機子コイルのコイル電線端末部が、電機子コアーに設けられた位相リングの位相リング電線端末部に接続される。また、コイル電線端末部と位相リング電線端末部の両者の接続箇所には所要の絶縁性能を有する絶縁部が構成されている。（例えば、特許文献１参照）。
【０００３】
【特許文献１】
特開平９−３０８１４２号公報（第２頁、図１）
【０００４】
【発明が解決しようとする課題】
従来の回転電機の固定子は上記のように構成され、上記両者の接続箇所がテープ状又はシート状の絶縁材を手作業によって、互いに接触して配置された上記両者の心線に巻回することによって、所要の絶縁性能を有する絶縁部が形成される。したがって、絶縁部が手作業によって形成されるために品質的に不安定であって所要の絶縁性能が得難く、また長時間の作業を要し製作費が嵩むという問題点があった。
【０００５】
この発明は、かかる問題点を解消するためになされたものであり、コイル電線端末部と位相リング電線端末部の接続部を正常に、また能率良く絶縁処理することができる回転電機の固定子を得ることを目的とする。
【０００６】
【課題を解決するための手段】
この発明に係る回転電機の固定子においては、互いに隣接したティースの間に形成された複数のスロットを有する電機子コアーと、スロットに嵌合状態に設けられた電機子コイルと、電機子コアーに設けられた位相リングと、互いに平行に配置された電機子コイルのコイル電線端末部及び位相リングの位相リング電線端末部の両者における心線を相互に接続した接続部と、電気絶縁性物質からなる多孔性材料によって製作されてキャップ状をなし、開口端を介して上記両者に嵌合されて底部側に接続部が配置され開口端側が上記両者の被覆部に嵌合された絶縁具とが設けられる。
【０００７】
【発明の実施の形態】
実施の形態１．
図１及び図２は、この発明の実施の形態の一例を示す図で、図１は固定子を概念的に示す断面図、図２は図１におけるコイル電線端末部と位相リング電線端末部の接続箇所の縦断面図である。図において、電機子コアー１に互いに隣接したティース２が設けられ、ティース２の相互間に複数のスロット３が形成される。そして、それぞれのスロット３に電機子コイル４が嵌合状態に設けられる。
【０００８】
また、電機子コアー１に設けられた位相リング（図示しない）の位相リング電線端末部５に対して平行に配置された電機子コイル４のコイル電線端末部６の両者における心線を相互に接続した接続部７が形成される。なお、接続部７は上記両者の心線が、はんだ付け、圧着スリーブによるかしめ手段等によって接続されて形成される。
【０００９】
また、合成樹脂、例えばエポキシ樹脂等のであって機械的に丈夫であり耐熱性に優れた電気絶縁性物質からなり、不織布状、スポンジ状等の多孔性材料によって絶縁具８が製作されて一側が開口した有底筒体状、すなわちキャップ状に成形される。そして、このような絶縁具８がそれの開口端を介して上記両者に嵌合されて底部側に接続部７が配置され、開口端側が上記両者の被覆部に嵌合される。また、絶縁具８は熱硬化性樹脂からなる含浸ワニス等を十分しみ込ませて加熱処理されて硬化される。なお、ロータ１０が電機子コアー１の中心の空所に嵌合されて配置される。
【００１０】
上記のように構成された回転電機の固定子において、互いに平行に配置された位相リング電線端末部５及びコイル電線端末部６の両者における心線が相互に接続されて接続部７が形成される。そして、キャップ状をなす絶縁具８が、それの開口端を介して上記両者に嵌合されて、底部側に接続部７が配置され開口端側が上記両者の被覆部に嵌合される。
【００１１】
このように上記両者に接続部７を形成して絶縁具８を装着することによって、上記両者における品質的に安定し所要の絶縁性能が得られる。そして、簡易な作業により少ない費用によって上記両者の接続部７を絶縁具８によって正常に、また能率良く絶縁処理することができる。
【００１２】
実施の形態２．
図３は、この発明の他の実施の形態の一例を示す図で、前述の図２相当図である。図において、前述の図１及び図２と同符号は相当部分を示し、合成樹脂製の筒体からなる固定用絶縁具９の一側が互いに平行に配置された位相リング電線端末部５及びコイル電線端末部６の両者における被覆部に嵌合され、他側は上記両者の被覆部に嵌合された絶縁具８の開口端側の外面に嵌合される。
【００１３】
上記のように構成された回転電機の固定子において、上記両者における心線の接続部７が形成され、上記両者に対して図２に示す実施の形態と同様に絶縁具８が嵌合される。したがって、詳細な説明を省略するが図３の実施の形態においても図１及び図２の実施の形態と同様な作用が得られる。また上記両者の被覆部と絶縁具８の開口端側とに嵌合した固定用絶縁具９が設けられるので、上記両者に対して品質的に一層安定した所要の絶縁性能を得ることができる。
【００１４】
【発明の効果】
この発明は以上説明したように、互いに隣接したティースの間に形成された複数のスロットを有する電機子コアーと、スロットに嵌合状態に設けられた電機子コイルと、電機子コアーに設けられた位相リングと、互いに平行に配置された電機子コイルのコイル電線端末部及び位相リングの位相リング電線端末部の両者における心線を相互に接続した接続部と、電気絶縁性物質からなる多孔性材料によって製作されてキャップ状をなし、開口端を介して上記両者に嵌合されて底部側に接続部が配置され開口端側が上記両者の被覆部に嵌合された絶縁具とを設けたものである。
【００１５】
これによって、位相リング電線端末部及びコイル電線端末部の両者における心線が相互に接続されて接続部が形成され、キャップ状をなす絶縁具が、それの開口端を介して上記両者に嵌合されて、底部側に接続部が配置され開口端側が上記両者の被覆部に嵌合される。このように上記両者に接続部を形成し絶縁具を装着することによって、上記両者の接続部における安定した絶縁性能を実現する効果がある。また、上記両者の接続部を能率良く絶縁処理することができ製作費を低減する効果がある。
【図面の簡単な説明】
【図１】この発明の実施の形態１を示す図で、固定子を概念的に示す断面図。
【図２】図１におけるコイル電線端末部と位相リング電線端末部の接続箇所の縦断面図。
【図３】この発明の実施の形態３を示す図で、図２相当図。
【符号の説明】
１  電機子コアー、２  ティース、３  スロット、４  電機子コイル、５  位相リング電線端末部、６  コイル電線端末部、７  接続部、８  絶縁具、９  固定用絶縁具。
【図１】
2004364378.tif 000003
【図２】
2004364378.tif 000004
【図３】
2004364378.tif 000005